(57)【要約】      （修正有）【課題】配信される画像や映像などのコンテンツに対応する地図上の地点を、簡易な手順でナビゲーション装置に送信して登録させることができる技術を提供する【解決手段】情報端末としてのスマートフォン１７０は、例えばユーザによって設定された目的地までの経路を案内するナビゲーション装置と通信可能である。スマートフォン１７０は、外部のサーバから配信される映像コンテンツを受信するコンテンツ受信部１７７と、映像コンテンツに関連するコンテンツ位置情報を取得するコンテンツ位置情報取得部１７８と、映像コンテンツを再生するコンテンツ再生部１７９と、ナビゲーション装置にコンテンツ位置情報を送信するコンテンツ位置情報送信部１８０と、を備える。【選択図】図１４
2020148472.tif 000002
【特許請求の範囲】
【請求項１】
設定された目的地までの経路を案内するナビゲーション部と通信可能な情報端末であって、
外部から配信されるコンテンツを受信するコンテンツ受信部と、
前記コンテンツに関連するコンテンツ位置情報を取得するコンテンツ位置情報取得部と、
前記コンテンツを再生するコンテンツ再生部と、
前記ナビゲーション部に前記コンテンツ位置情報を送信するコンテンツ位置情報送信部と、
を備えた、
情報端末。
【請求項２】
請求項１に記載の情報端末であって、
現在地に関する現在地情報、目的地に関する目的地情報、経由地に関する経由地情報の少なくとも何れか１つを取得する位置情報取得部と、
前記現在地情報、前記目的地情報、前記経由地情報の少なくとも何れか１つに基づいて、受信対象とするコンテンツを決定する受信コンテンツ決定部と、
を更に備える、
情報端末。
【請求項３】
請求項２に記載の情報端末であって、
前記現在地と前記目的地の間の第１の距離、又は、前記現在地と前記経由地の間の第２の距離を算出する距離情報算出部を更に備え、
前記受信コンテンツ決定部は、前記第１の距離又は第２の距離に基づいて、受信対象とするコンテンツを決定する、
情報端末。
【請求項４】
請求項２又は３に記載の情報端末であって、
前記受信コンテンツ決定部は、受信対象とするコンテンツの地理的属性を決定し、
前記コンテンツ受信部は、前記地理的属性を有するコンテンツを受信する、
情報端末。
【請求項５】
請求項１に記載の情報端末にコンテンツを配信するコンテンツ配信部と、
前記情報端末から、現在地に関する現在地情報、目的地に関する目的地情報、経由地に関する経由地情報の少なくとも何れか１つを受信する位置情報受信部と、
前記現在地情報、前記目的地情報、前記経由地情報の少なくとも何れか１つに基づいて、配信対象とするコンテンツを決定する配信コンテンツ決定部と、
を備え、
前記コンテンツ配信部は、前記配信コンテンツ決定部によって決定されたコンテンツを前記情報端末に配信する、
サーバ。
【請求項６】
設定された目的地までの経路を案内するナビゲーション部と通信可能な情報端末の制御方法であって、
外部から配信されるコンテンツを受信するコンテンツ受信ステップと、
前記コンテンツに関連するコンテンツ位置情報を取得するコンテンツ位置情報取得ステップと、
前記コンテンツを再生するコンテンツ再生ステップと、
前記ナビゲーション部に前記コンテンツ位置情報を送信するコンテンツ位置情報送信ステップと、
を含む、
制御方法。
【請求項７】
コンピュータに、請求項６に記載の制御方法を実行させるためのプログラム。
【発明の詳細な説明】
【技術分野】
【０００１】
本発明は、情報端末、サーバ、制御方法、及び、プログラムに関する。
【背景技術】
【０００２】
特許文献１（特許第４１８６０９４号）は、フラッシュメモリカードから読み込んだ複数の静止画像を液晶ディスプレイに一覧表示すると共に、ユーザによって何れかの静止画像が選択されると、当該静止画像に対応する地図上の地点を目的として設定する技術を開示している。
【発明の概要】
【発明が解決しようとする課題】
【０００３】
しかしながら、上記特許文献１の構成では、目的地を設定する際のユーザーインターフェースとしては優れているものの、フラッシュメモリカードに予め複数の静止画像を記憶させておかなければならない。
【０００４】
本発明の目的は、配信される画像や映像などのコンテンツに対応する地図上の地点を、簡易な手順でナビゲーション部に送信して登録させることができる技術を提供することにある。
【課題を解決するための手段】
【０００５】
本実施形態の第1の観点によれば、設定された目的地までの経路を案内するナビゲーション部と通信可能な情報端末であって、外部から配信されるコンテンツを受信するコンテンツ受信部と、前記コンテンツに関連するコンテンツ位置情報を取得するコンテンツ位置情報取得部と、前記コンテンツを再生するコンテンツ再生部と、前記ナビゲーション部に前記コンテンツ位置情報を送信するコンテンツ位置情報送信部と、を備えた、情報端末が提供される。
本実施形態の第２の観点によれば、上記の情報端末にコンテンツを配信するコンテンツ配信部と、前記情報端末から、現在地に関する現在地情報、目的地に関する目的地情報、経由地に関する経由地情報の少なくとも何れか１つを受信する位置情報受信部と、前記現在地情報、前記目的地情報、前記経由地情報の少なくとも何れか１つに基づいて、配信対象とするコンテンツを決定する配信コンテンツ決定部と、を備え、前記コンテンツ配信部は、前記配信コンテンツ決定部によって決定されたコンテンツを前記情報端末に配信する、サーバが提供される。
本実施形態の第３の観点によれば、設定された目的地までの経路を案内するナビゲーション部と通信可能な情報端末の制御方法であって、外部から配信されるコンテンツを受信するコンテンツ受信ステップと、前記コンテンツに関連するコンテンツ位置情報を取得するコンテンツ位置情報取得ステップと、前記コンテンツを再生するコンテンツ再生ステップと、前記ナビゲーション部に前記コンテンツ位置情報を送信するコンテンツ位置情報送信ステップと、を含む、制御方法が提供される。
【発明の効果】
【０００６】
本発明によれば、配信される画像や映像などのコンテンツに対応する地図上の地点を、簡易な手順でナビゲーション部に送信して登録させることができる。
【図面の簡単な説明】
【０００７】
【図１】映像配信システムの概略図である。（第１実施形態）
【図２】ナビゲーション装置の機能ブロック図である。（第１実施形態）
【図３】現在地と目的地の地理的属性を示す図である。（第１実施形態）
【図４】現在地と目的地の地理的属性を示す図である。（第１実施形態）
【図５】映像コンテンツの表示例を示す図である。（第１実施形態）
【図６】サーバの機能ブロック図である。（第１実施形態）
【図７】映像配信システムの制御フローである。（第１実施形態）
【図８】映像配信システムの制御フローである。（第１実施形態）
【図９】ナビゲーション装置の機能ブロック図である。（第２実施形態）
【図１０】サーバの機能ブロック図である。（第２実施形態）
【図１１】映像配信システムの制御フローである。（第２実施形態）
【図１２】映像配信システムの概略図である。（第３実施形態）
【図１３】ナビゲーション装置の機能ブロック図である。（第３実施形態）
【図１４】スマートフォンの機能ブロック図である。（第３実施形態）
【図１５】サーバの機能ブロック図である。（第３実施形態）
【図１６】映像配信システムの制御フローである。（第３実施形態）
【図１７】映像配信システムの制御フローである。（第３実施形態）
【発明を実施するための形態】
【０００８】
（第１実施形態）
以下、図１から図８を参照して、第１実施形態を説明する。図１には、映像配信システム１を示している。映像配信システム１は、ナビゲーション装置１０とサーバ４０を含んで構成されている。
【０００９】
ナビゲーション装置１０は、ユーザによって設定された目的地までの経路を案内する装置であって、車両のコンソールパネルに埋め込まれた車載型のナビゲーション装置、又は、車両に一時的に固定された携帯型の情報端末としてのスマートフォンやタブレット、携帯型のナビゲーション装置である。ナビゲーション装置１０は、ナビゲーション部としての経路案内機能を有する本体と、無線または有線で接続される情報端末を含んで構成されてもよい。本実施形態において、ナビゲーション装置１０は、前者である車載型のナビゲーション装置とする。
【００１０】
サーバ４０は、ナビゲーション装置１０に向けて、映像コンテンツを配信するサーバである。サーバ４０は、例えば、例えばWAN２（Wide Area Network）を介してナビゲーション装置１０と双方向通信可能に構成されている。
【００１１】
映像コンテンツは、コンテンツの一具体例である。映像コンテンツは、音声コンテンツを含んでもよい。コンテンツは、映像コンテンツの他に、音声のみコンテンツであってもよい。
【００１２】
（ナビゲーション装置１０）
図２には、ナビゲーション装置１０の機能ブロック図を示している。図２に示すように、ナビゲーション装置１０は、中央演算処理器としてのCPU１０ａ（Central Processing Unit）と、読み書き自由のRAM１０ｂ（Random Access Memory）、読み出し専用のROM１０ｃ（Read Only Memory）を備えている。また、ナビゲーション装置１０は、通信I/F１０ｄ、ディスプレイ１０ｅ、タッチパネル１０ｆを備えている。ナビゲーション装置１０は、通信I/F１０ｄを介してWAN２と双方向通信を実行する。ディスプレイ１０ｅとタッチパネル１０ｆは、互いに重ねて配置されており、タッチパネル型ディスプレイを構成している。
【００１３】
そして、CPU１０ａがROM１０ｃに記憶されている制御プログラムを読み出して実行することで、制御プログラムは、CPU１０ａなどのハードウェアを、目的地情報設定部１１、経由地情報設定部１２、現在地情報取得部１３、経路情報生成部１４、経路案内部１５、表示制御部１６、操作制御部１７、距離情報算出部２０、コンテンツ属性情報生成部２１、コンテンツ属性情報送信部２２、コンテンツ受信部２３、コンテンツ位置情報取得部２４、コンテンツ再生部２５として機能させる。ナビゲーション装置１０は、距離情報算出部２０、コンテンツ属性情報生成部２１、コンテンツ属性情報送信部２２などを有さず、受信したコンテンツを再生し、受信したコンテンツに関連付けられた位置情報を取得して、目的地または経由地として設定する形態であってもよい。
【００１４】
目的地情報設定部１１は、ユーザの操作に応じて目的地に関する目的地情報を設定する。または、外部から目的地情報を受信して目的地として設定してもよい。後述するコンテンツ位置情報取得部２４が取得したコンテンツ位置情報を取り込んで、目的地として設定してもよい。
【００１５】
経由地情報設定部１２は、ユーザの操作に応じて経由地に関する経由地情報を設定する。または、外部から経由地情報を受信して経由地として設定してもよい。後述するコンテンツ位置情報取得部２４が取得したコンテンツ位置情報を取り込んで、経由地として設定してもよい。経由地とは、現在地から目的地に至るまでに経由する地点を意味し、ユーザの操作によって設定される経由地に限定されず、通過する地点およびその近傍を含む。なお、経由地情報設定部１２は省略することができる。経由地情報は、経路情報生成部１４が生成してもよい。本実施形態において経由地情報は各種の処理から省略することができる。
【００１６】
現在地情報取得部１３は、例えば、ナビゲーション装置１０が備えるGPS受信器（Global Positioning System）やGLONASS受信器（Global Navigation Satellite System）を用いて現在地に関する現在地情報を取得する。
【００１７】
経路情報生成部１４は、目的地情報、経由地情報、現在地情報に基づいて、現在地から経由地を経由して目的地に至る経路に関する経路情報を生成する。
【００１８】
経路案内部１５は、経路情報に基づいて、ユーザに目的地までの経路を案内する。
【００１９】
表示制御部１６は、ディスプレイ１０ｅの動作を制御する。
【００２０】
操作制御部１７は、操作検出部の一具体例である。操作制御部１７は、タッチパネル１０ｆにおけるタップ、フリック、スワイプ、ピンチイン、ピンチアウト等の操作を検出する。タップは、第１の操作の一具体例である。
【００２１】
距離情報算出部２０は、現在地と目的地の間の第１の距離を算出する。
【００２２】
コンテンツ属性情報生成部２１は、受信コンテンツ決定部の一具体例である。コンテンツ属性情報生成部２１は、現在地情報、目的地情報、経由地情報のうち少なくとも何れか１つに基づいて、受信対象とするコンテンツを決定する。具体的には、コンテンツ属性情報生成部２１は、第１の距離に基づいて、受信対象とするコンテンツを決定する。詳しくは、コンテンツ属性情報生成部２１は、受信対象とするコンテンツの地理的属性を決定し、この地理的属性に関するコンテンツ属性情報を生成する。コンテンツの地理的属性とは、コンテンツに関連する地点に関する属性である。
【００２３】
例えば、図３に示すように、現在地が日本国の大阪市であり目的地が東京都に存在する観光地であるスカイツリーである場合、距離情報算出部２０は、大阪市とスカイツリーの間の第１の距離を算出する。第１の距離は、例えば、５１３キロメートルとなる。コンテンツ属性情報生成部２１は、この第１の距離の２５分の１である２０キロメートルに基づいて、受信対象となるコンテンツの地理的属性を「スカイツリーから半径２０キロメートルの範囲」又はこれに相当する「東京都２３区内」と決定する。
【００２４】
例えば、図４に示すように、現在地が東京都に属する八王子市であり目的地がスカイツリーである場合、距離情報算出部２０は、八王子市とスカイツリーの間の第１の距離を算出する。第１の距離は、例えば、５０キロメートルとなる。コンテンツ属性情報生成部２１は、この第１の距離の２５分の１である２キロメートルに基づいて、受信対象となるコンテンツの地理的属性を「スカイツリーから半径２キロメートルの範囲」又はこれに相当する「台東区内」と決定する。コンテンツ属性情報生成部２１は、この第１の距離の１０分の１である５キロメートルに基づいて、受信対象となるコンテンツの地理的属性を「スカイツリーから半径５キロメートルの範囲」と決定してもよく、地理的属性の範囲は限定されない。
【００２５】
現在地が大阪市である場合、コンテンツ属性情報生成部２１は、受信対象となるコンテンツの地理的属性を「大阪市内」または「大阪府内」と決定してもよい。経由地が静岡市である場合、コンテンツ属性情報生成部２１は、受信対象となるコンテンツの地理的属性を「静岡市内」または「静岡県内」と決定してもよい。
【００２６】
コンテンツ属性情報送信部２２は、コンテンツ属性情報をサーバ４０に送信する。コンテンツ属性情報送信部２２は、コンテンツ属性情報をコンテンツ受信部２３に出力してもよく、サーバ４０に送信する形態に限定されない。
【００２７】
コンテンツ受信部２３は、サーバ４０から配信される映像コンテンツを受信する。コンテンツ受信部２３は、サーバ４０から配信される映像コンテンツを受信した後に、コンテンツ属性情報によりコンテンツを選択するコンテンツ選択部を有してもよい。
【００２８】
コンテンツ位置情報取得部２４は、映像コンテンツに関連する位置情報としてのコンテンツ位置情報を取得する。具体的には、映像コンテンツに位置情報が含まれている場合は、コンテンツ位置情報取得部２４は、映像コンテンツからコンテンツ位置情報を抽出して取得する。具体的には、動画または静止画のメタデータとして緯度経度情報が重畳されている場合、動画または静止画からメタデータを抽出して、緯度経度情報を得る。映像コンテンツに位置情報が含まれていない場合は、コンテンツ位置情報取得部２４は、映像コンテンツに対応するコンテンツ位置情報をサーバ４０に問い合わせることにより、コンテンツ位置情報を受信して取得する。
【００２９】
具体的には、映像コンテンツがイベント会場のPR（Public Relations）動画である場合は、コンテンツ位置情報は、例えば、当該イベント会場の位置情報、当該イベント会場の専用の駐車場の位置情報、当該イベント会場の近隣の空きがある駐車場の位置情報とするのが好適である。映像コンテンツが店舗や施設の紹介動画である場合は、コンテンツ位置情報は、例えば、当該店舗または施設の位置情報、当該店舗または施設の専用の駐車場の位置情報、とするのが好適である。
【００３０】
コンテンツ再生部２５は、映像コンテンツを再生して、ディスプレイ１０ｅに表示させる。
【００３１】
そして、図５に示すように、表示制御部１６は、映像コンテンツに目的地設定ボタン１６ａを重畳させてディスプレイ１０ｅに表示する。映像コンテンツの再生時にユーザが目的地設定ボタン１６ａをタップしたことを操作制御部１７が検出すると、経路案内部１５は、映像コンテンツに関連するコンテンツ位置情報に基づいて、映像コンテンツに関連する地点を目的地または経由地とした経路を案内する。具体的には、映像コンテンツの再生時にユーザが目的地設定ボタン１６ａをタップしたことを操作制御部１７が検出すると、目的地情報設定部１１は、映像コンテンツに関連する地点を目的地情報として設定する。そして、経路情報生成部１４は、更新された目的地情報に基づいて、経路情報を生成する。経路案内部１５は、更新された経路情報に基づいて、ユーザに新しい目的地までの経路を案内する。
【００３２】
（サーバ４０）
図６には、サーバ４０の機能ブロック図を示している。図６に示すように、サーバ４０は、中央演算処理器としてのCPU４０ａ（Central Processing Unit）と、読み書き自由のRAM４０ｂ（Random Access Memory）、読み出し専用のROM４０ｃ（Read Only Memory）を備えている。また、サーバ４０は、通信I/F４０ｄを備えている。サーバ４０は、通信I/F４０ｄを介してWAN２と双方向通信を実行する。
【００３３】
そして、CPU４０ａがROM４０ｃに記憶されている制御プログラムを読み出して実行することで、制御プログラムは、CPU４０ａなどのハードウェアを、コンテンツ記憶部３０、コンテンツ属性情報受信部３１、配信コンテンツ決定部３２、コンテンツ配信部３３として機能させる。サーバ４０は、コンテンツ属性情報受信部３１、配信コンテンツ決定部３２を有さず、記憶されたコンテンツを配信する形態であってもよい。またサーバ４０は、記憶されたコンテンツを配信する際に、図示しないリアルタイム情報取得部が取得したリアルタイム情報を重畳したコンテンツを配信してもよい。コンテンツが施設の紹介動画である場合、例えば、施設周辺の現在の天候や混雑状況などをリアルタイム情報取得部が随時取得し、映像に重畳して配信してもよい。コンテンツがイベントの紹介動画である場合、例えば、イベントの現在状況やイベントのタイムスケジュールなどをリアルタイム情報取得部が取得し、映像に重畳して配信してもよい。
【００３４】
コンテンツ記憶部３０は、複数の映像コンテンツを記憶する。
【００３５】
コンテンツ属性情報受信部３１は、ナビゲーション装置１０からコンテンツ属性情報を受信する。
【００３６】
配信コンテンツ決定部３２は、コンテンツ属性情報に基づいて、ナビゲーション装置１０に配信する映像コンテンツを決定する。具体的には、配信コンテンツ決定部３２は、コンテンツ記憶部３０に記憶されている複数の映像コンテンツのうち、コンテンツ属性情報に合致した１つ又は複数の映像コンテンツを選択する。先の例では、例えば、現在地が大阪市であり目的地がスカイツリーである場合に、コンテンツの地理的属性である「東京都２３区内」の位置情報を有するコンテンツを、ナビゲーション装置１０に配信する。コンテンツの地理的属性である「大阪市内」の位置情報を有するコンテンツを、ナビゲーション装置１０に配信してもよい。
【００３７】
コンテンツ配信部３３は、配信コンテンツ決定部３２によって決定された１つ又は複数の映像コンテンツをナビゲーション装置１０に配信する。
【００３８】
次に、図７及び図８を参照して、映像配信システム１の動作を説明する。
【００３９】
S1:
先ず、目的地情報設定部１１は、ユーザの操作に応じて目的地に関する目的地情報を設定する。
【００４０】
S2:
次に、経由地情報設定部１２は、ユーザの操作に応じて経由地に関する経由地情報を設定する。
【００４１】
S3:
次に、現在地情報取得部１３は、現在地に関する現在地情報を取得する。
【００４２】
S4:
次に、経路情報生成部１４は、目的地情報、経由地情報、現在地情報に基づいて、現在地から経由地を経由して目的地に至る経路に関する経路情報を生成する。
【００４３】
S5:
次に、経路案内部１５は、経路情報に基づいて、ユーザに目的地までの経路の案内を開始する。
【００４４】
S10:
次に、距離情報算出部２０は、現在地と目的地の間の第１の距離を算出する。
【００４５】
S11:
次に、コンテンツ属性情報生成部２１は、第１の距離に基づいて、コンテンツ属性情報を生成する。
【００４６】
S12:
次に、コンテンツ属性情報送信部２２は、コンテンツ属性情報をサーバ４０に送信し、このコンテンツ属性情報は、サーバ４０のコンテンツ属性情報受信部３１によって受信される。
【００４７】
S13:
次に、配信コンテンツ決定部３２は、受信したコンテンツ属性情報に基づいて、ナビゲーション装置１０に配信する映像コンテンツを決定する。
【００４８】
S14:
次に、コンテンツ配信部３３は、決定した映像コンテンツをナビゲーション装置１０に配信し、この映像コンテンツはナビゲーション装置１０のコンテンツ受信部２３によって受信される。
【００４９】
S30:
次に、コンテンツ再生部２５は、受信した映像コンテンツを再生して、ディスプレイ１０ｅに表示させる。
【００５０】
S31:
次に、コンテンツ位置情報取得部２４は、受信した映像コンテンツに関連するコンテンツ位置情報を取得する。
【００５１】
S32:
次に、表示制御部１６は、目的地設定ボタン１６ａを映像コンテンツに重畳させるようにしてディスプレイ１０ｅに表示させる。
【００５２】
S33:
次に、操作制御部１７は、映像コンテンツの再生時に目的地設定ボタン１６ａがユーザによってタップされたか判定する。タップされたと判定した場合は、操作制御部１７は、処理をS40に進める。一方、タップされなかったと判定した場合は、操作制御部１７は、処理をS44に進める。
【００５３】
S40:
ステップS40において、目的地情報設定部１１は、再生中の映像コンテンツに関連するコンテンツ位置情報で目的地情報を更新する。換言すると、目的地情報設定部１１は、再生中のコンテンツに関連するコンテンツ位置情報によって、新たな目的地を設定する。
【００５４】
S41:
次に、現在地情報取得部１３は、現在地に関する現在地情報を取得する。
【００５５】
S42:
次に、経路情報生成部１４は、目的地情報及び現在地情報に基づいて、現在地から目的地に至る経路に関する経路情報を生成する。
【００５６】
S43:
次に、経路案内部１５は、更新された経路情報に基づいて、ユーザに新しい目的地までの経路の案内を再開する。
【００５７】
S44:
ステップS44において、経路案内部１５は、目的地に到着したか判定する。目的地に到着したと判定した場合は、経路案内部１５は、処理をS47に進める。目的地に到着していないと判定した場合は、経路案内部１５は、処理をS45に進める。
【００５８】
S45:
ステップS45において、コンテンツ再生部２５は、映像コンテンツの再生が完了したか判定する。映像コンテンツの再生が完了したと判定した場合は、コンテンツ再生部２５は、処理をS46に進める。一方、映像コンテンツの再生が完了していないと判定した場合は、コンテンツ再生部２５は、処理をS33に戻す。
【００５９】
S46:
ステップS46において、経路案内部１５は、目的地に到着したか判定する。目的地に到着したと判定した場合は、経路案内部１５は、処理をS47に進める。目的地に到着していないと判定した場合は、経路案内部１５は、ステップS46を再実行する。
【００６０】
S47:
ステップS47において、経路案内部１５は、経路案内を終了する。
【００６１】
以上に、第１実施形態を説明したが、上記第１実施形態は、以下の特長を有する。
【００６２】
情報端末としてのナビゲーション装置１０は、ユーザによって設定された目的地までの経路を案内するナビゲーション部としての経路案内部１５と、外部としてのサーバ４０から配信されるコンテンツとしての映像コンテンツを受信するコンテンツ受信部２３と、映像コンテンツに関連するコンテンツ位置情報を取得するコンテンツ位置情報取得部２４と、映像コンテンツを再生するコンテンツ再生部２５と、ユーザの第１の操作としてのタップ操作を検出する操作検出部としての操作制御部１７と、を備える。経路案内部１５は、操作制御部１７がユーザのタップ操作を検出したら、再生している映像コンテンツに関連するコンテンツ位置情報に対応する地点を目的地とした経路を案内する。以上の構成によれば、ナビゲーション装置１０のユーザエクスペリエンスを向上することができる。
【００６３】
具体的には、サーバ４０から配信されるコンテンツに興味を持ったとき、そのコンテンツに関連する地点を目的地としてすばやくナビゲーション装置１０に設定することができるようになる。従って、観光事業者側からすれば、観光関連施設への集客効果を期待できる。また、ユーザ側からすれば、当初予定になかった観光関連施設へ気軽に足を運べるようになるので、単調な長距離移動が楽しいものとなる。
【００６４】
なお、経路案内部１５は、操作制御部１７がユーザのタップ操作を検出したら、再生している映像コンテンツに関連するコンテンツ位置情報に対応する地点を目的地に至るまでの経由地とした経路を案内するようにしてもよい。このとき、表示制御部１６は、目的地設定ボタン１６ａの他に、図示しない経由地設定ボタンを表示する。以上の構成によれば、目的地を変更することなく、当初予定になかった観光関連施設へ気軽に立ち寄ることができるようになる。また、地点登録ボタンを表示して、コンテンツに関連する位置情報を登録してもよい。ボタンの表示やタップ操作の検出に依らず、音声認識により再生するコンテンツに関連する地点情報を目的地に設定してもよい。
【００６５】
また、ナビゲーション装置１０は、現在地に関する現在地情報、目的地に関する目的地情報、経由地に関する経由地情報の少なくとも何れか１つに基づいて、受信対象とする映像コンテンツを決定する受信コンテンツ決定部としてのコンテンツ属性情報生成部２１を更に備える。以上の構成によれば、ユーザの移動に密接に関連した映像コンテンツが受信対象となるので、ナビゲーション装置１０のユーザエクスペリエンスが一層向上する。
【００６６】
上記の受信コンテンツ決定部は、コンテンツ属性情報を生成することに代えて、１つ又は複数の映像コンテンツを特定するコンテンツ特定情報を生成するようにしてもよい。
【００６７】
また、ナビゲーション装置１０は、現在地と目的地の間の第１の距離を算出する距離情報算出部２０を更に備える。コンテンツ属性情報生成部２１は、第１の距離に基づいて、受信対象とするコンテンツを決定する。以上の構成によれば、第１の距離に応じて、受信対象とするコンテンツを柔軟に決定することができる。
【００６８】
なお、距離情報算出部２０は、現在地と目的地の間の第１の距離を算出する。しかし、これに代えて、距離情報算出部２０は、現在地と経由地の間の第２の距離を算出してもよい。現在地が大阪市であり、経由地が静岡市である場合、コンテンツ属性情報生成部２１は、受信対象となるコンテンツの地理的属性を、大阪市と静岡市の間の距離である第２の距離に基づいて決定してもよい。
【００６９】
また、コンテンツ属性情報生成部２１は、受信対象とするコンテンツの地理的属性を決定する。コンテンツ受信部２３は、地理的属性を有する映像コンテンツを受信する。以上の構成によれば、第１の距離に応じて受信対象とするコンテンツの範囲を地理的に絞ることができる。
【００７０】
また、図７及び図８に示すように、ナビゲーション方法は、ユーザによって設定された目的地までの経路を案内する経路案内ステップ（S5）と、サーバ４０から配信される映像コンテンツを受信するコンテンツ受信ステップ（S14）と、映像コンテンツに関連するコンテンツ位置情報を取得するコンテンツ位置情報取得ステップ（S31）と、映像コンテンツを再生するコンテンツ再生ステップ（S30、S43）と、ユーザの第１の操作としてのタップ操作を検出する操作検出ステップ（S33）と、を含む。経路案内ステップ（S30、S43）では、ユーザのタップ操作を検出したら（S33:YES）、再生している映像コンテンツに関連するコンテンツ位置情報に対応する地点を目的地とした経路を案内する（S43）。以上の構成によれば、ナビゲーション装置１０のユーザエクスペリエンスを向上することができる。
【００７１】
本実施形態において、目的地情報設定部１１は、ナビゲーション部としての経路案内部１５にコンテンツ位置情報を送信するコンテンツ位置情報送信部の一具体例である。また、ステップS40は、ナビゲーション部としての経路案内部１５にコンテンツ位置情報を送信するコンテンツ位置情報送信ステップの一具体例である。
【００７２】
（第２実施形態）
次に、図９から図１１を参照して、第２実施形態を説明する。以下、本実施形態が上記第１実施形態と相違する点を中心に説明し、重複する説明は省略する。
【００７３】
図９には、ナビゲーション装置１０の機能ブロック図を示している。図９に示すように、ナビゲーション装置１０は、ナビ位置情報送信部２６を備えている。
【００７４】
ナビ位置情報送信部２６は、現在地情報、経由地情報、目的地情報を含むナビ位置情報をサーバ４０に送信する。
【００７５】
図１０には、サーバ４０の機能ブロック図を示している。図１０に示すように、サーバ４０は、ナビ位置情報受信部３４と距離情報算出部３５を備えている。
【００７６】
ナビ位置情報受信部３４は、ナビゲーション装置１０からナビ位置情報を受信する。
【００７７】
距離情報算出部３５は、現在地と目的地の間の第１の距離を算出する。
【００７８】
次に、図１１を参照して、映像配信システム１の動作を説明する。
【００７９】
ステップS1からステップS5、ステップS30以降は上記第１実施形態と同じであるから説明を適宜省略する。
【００８０】
S5:
ステップS5において、経路案内部１５は、経路情報に基づいて、ユーザに目的地までの経路の案内を開始する。
【００８１】
S15:
次に、ナビ位置情報送信部２６は、ナビ位置情報をサーバ４０に送信し、このナビ位置情報はサーバ４０のナビ位置情報受信部３４によって受信される。
【００８２】
S16:
次に、距離情報算出部３５は、現在地と目的地の間の第１の距離を算出する。
【００８３】
S17:
次に、配信コンテンツ決定部３２は、第１の距離に基づいて、ナビゲーション装置１０に配信する映像コンテンツを決定する。
【００８４】
S18:
次に、コンテンツ配信部３３は、決定した映像コンテンツをナビゲーション装置１０に配信し、この映像コンテンツはナビゲーション装置１０のコンテンツ受信部２３によって受信される。
【００８５】
以上に、第２実施形態を説明したが、上記第２実施形態は、以下の特長を有する。
【００８６】
即ち、サーバ４０は、ナビゲーション装置１０に映像コンテンツを配信するコンテンツ配信部３３と、ナビゲーション装置１０から、ナビゲーション装置１０の現在地に関する現在地情報、ナビゲーション装置１０に設定された目的地に関する目的地情報、ナビゲーション装置１０に設定された経由地に関する経由地情報の少なくとも何れか１つのナビゲーション位置情報としてのナビ位置情報を受信するナビゲーション位置情報受信部としてのナビ位置情報受信部３４と、ナビ位置情報に基づいて、配信対象とする映像コンテンツを決定する配信コンテンツ決定部３２と、を備える。コンテンツ配信部３３は、配信コンテンツ決定部３２によって決定された映像コンテンツをナビゲーション装置１０に配信する。以上の構成によれば、ユーザの移動に密接に関連した映像コンテンツがナビゲーション装置１０に配信されるので、ナビゲーション装置１０のユーザエクスペリエンスを向上することができる。
【００８７】
また、図１１に示すように、サーバ４０におけるコンテンツ配信方法は、ナビゲーション装置１０にコンテンツを配信するコンテンツ配信ステップ（S18）と、ナビゲーション装置１０からナビ位置情報を受信するナビゲーション位置情報受信ステップ（S15）と、ナビ位置情報に基づいて、配信対象とする映像コンテンツを決定する配信コンテンツ決定ステップ（S17）と、を含む。コンテンツ配信ステップ（S18）では、配信コンテンツ決定ステップ（S17）で決定された映像コンテンツをナビゲーション装置１０に配信する。以上の方法によれば、ユーザの移動に密接に関連した映像コンテンツがナビゲーション装置１０に配信されるので、ナビゲーション装置１０のユーザエクスペリエンスを向上することができる。
【００８８】
（第３実施形態）
次に、図１２から図１７を参照して、第３実施形態を説明する。以下、本実施形態が上記第１実施形態と相違する点を中心に説明し、重複する説明は省略する。第３実施形態は、情報端末であるスマートフォン１７０が、ナビゲーション装置１１０から受信した現在位置情報や目的地情報に基づいて受信するコンテンツを選択し、コンテンツ位置情報をナビゲーション装置１１０に送信する形態である。
【００８９】
図１２には、映像配信システム１０１を示している。映像配信システム１０１は、ナビゲーション装置１１０とサーバ１４０、携帯型の情報端末としてのスマートフォン１７０を含んで構成されている。情報端末の種類はスマートフォンに限定されない。情報端末は、表示制御部１７１、操作制御部１７２、ナビ位置情報受信部１７３、距離情報算出部１７４、コンテンツ属性情報生成部１７５、コンテンツ属性情報送信部１７６、コンテンツ受信部１７７、コンテンツ位置情報取得部１７８、コンテンツ再生部１７９、コンテンツ位置情報送信部１８０の全てまたは一部を有する。
【００９０】
ナビゲーション装置１１０は、ユーザによって設定された目的地までの経路を案内する装置である。
【００９１】
サーバ１４０は、スマートフォン１７０に向けて、映像コンテンツを配信するサーバである。サーバ１４０は、例えば、例えばWAN１０２（Wide Area Network）を介してスマートフォン１７０と双方向通信可能に構成されている。
【００９２】
スマートフォン１７０は、ナビゲーション装置１１０と例えばBluetooth（登録商標）またはWifi（登録商標）などのLAN（Local Area Network）を介して双方向通信可能に構成されている。
【００９３】
（ナビゲーション装置１１０）
図１３には、ナビゲーション装置１１０の機能ブロック図を示している。図１３に示すように、ナビゲーション装置１１０は、中央演算処理器としてのCPU１１０ａ（Central Processing Unit）と、読み書き自由のRAM１１０ｂ（Random Access Memory）、読み出し専用のROM１１０ｃ（Read Only Memory）を備えている。また、ナビゲーション装置１１０は、通信I/F１１０ｄ、ディスプレイ１１０ｅ、タッチパネル１１０ｆを備えている。ナビゲーション装置１１０は、通信I/F１１０ｄを介してスマートフォン１７０と双方向通信を実行する。ディスプレイ１１０ｅとタッチパネル１１０ｆは、互いに重ねて配置されており、タッチパネル型ディスプレイを構成している。
【００９４】
そして、CPU１１０ａがROM１１０ｃに記憶されている制御プログラムを読み出して実行することで、制御プログラムは、CPU１１０ａなどのハードウェアを、目的地情報設定部１１１、経由地情報設定部１１２、現在地情報取得部１１３、経路情報生成部１１４、経路案内部１１５、表示制御部１１６、操作制御部１１７、ナビ位置情報送信部１１８、コンテンツ位置情報受信部１１９として機能させる。
【００９５】
ナビ位置情報送信部１１８は、現在地情報、経由地情報、目的地情報を含むナビ位置情報をスマートフォン１７０に送信する。
【００９６】
コンテンツ位置情報受信部１１９は、スマートフォン１７０からコンテンツ位置情報を受信する。
【００９７】
そして、経路案内部１１５は、受信したコンテンツ位置情報に基づいて、コンテンツ位置情報に対応した地点を目的地とした経路を案内する。具体的には、コンテンツ位置情報受信部１１９がコンテンツ位置情報を受信すると、目的地情報設定部１１１は、コンテンツ位置情報に対応した地点を目的地情報として設定する。そして、経路情報生成部１１４は、更新された目的地情報に基づいて、経路情報を生成する。経路案内部１１５は、更新された経路情報に基づいて、ユーザに新しい目的地までの経路を案内する。
【００９８】
（スマートフォン１７０）
図１４には、スマートフォン１７０の機能ブロック図を示している。図１４に示すように、スマートフォン１７０は、中央演算処理器としてのCPU１７０ａ（Central Processing Unit）と、読み書き自由のRAM１７０ｂ（Random Access Memory）、読み出し専用のROM１７０ｃ（Read Only Memory）を備えている。また、スマートフォン１７０は、通信I/F１７０ｄ、ディスプレイ１７０ｅ、タッチパネル１７０ｆを備えている。スマートフォン１７０は、通信I/F１７０ｄを介してナビゲーション装置１１０及びWAN１０２との双方向通信を実行する。ディスプレイ１７０ｅとタッチパネル１７０ｆは、互いに重ねて配置されており、タッチパネル型ディスプレイを構成している。
【００９９】
そして、CPU１７０ａがROM１７０ｃに記憶されている制御プログラムを読み出して実行することで、制御プログラムは、CPU１７０ａなどのハードウェアを、表示制御部１７１、操作制御部１７２、ナビ位置情報受信部１７３、距離情報算出部１７４、コンテンツ属性情報生成部１７５、コンテンツ属性情報送信部１７６、コンテンツ受信部１７７、コンテンツ位置情報取得部１７８、コンテンツ再生部１７９、コンテンツ位置情報送信部１８０として機能させる。情報端末であるスマートフォン１７０は、距離情報算出部１７４、コンテンツ属性情報生成部１７５、コンテンツ属性情報送信部１７６などを有さず、受信したコンテンツを再生し、関連付けられたコンテンツ位置情報を取得して、取得したコンテンツ位置情報をナビゲーション装置１１０に送信する形態であってもよい。
【０１００】
表示制御部１７１は、ディスプレイ１７０ｅの動作を制御する。
【０１０１】
操作制御部１７２は、操作検出部の一具体例である。操作制御部１７２は、タッチパネル１７０ｆにおけるタップ、フリック、スワイプ、ピンチイン、ピンチアウト等の操作を検出する。タップは、第１の操作の一具体例である。
【０１０２】
ナビ位置情報受信部１７３は、ナビゲーション装置１１０からナビ位置情報を受信する。
【０１０３】
距離情報算出部１７４は、現在地と目的地の間の第１の距離を算出する。
【０１０４】
コンテンツ属性情報生成部１７５は、受信コンテンツ決定部の一具体例である。コンテンツ属性情報生成部１７５は、現在地情報、目的地情報、経由地情報のうち少なくとも何れか１つに基づいて、受信対象とするコンテンツを決定する。具体的には、コンテンツ属性情報生成部１７５は、第１の距離に基づいて、受信対象とするコンテンツを決定する。詳しくは、コンテンツ属性情報生成部１７５は、受信対象とするコンテンツの地理的属性を決定し、この地理的属性に関するコンテンツ属性情報を生成する。コンテンツの地理的属性とは、コンテンツに関連する地点に関する属性である。
【０１０５】
コンテンツ属性情報送信部１７６は、コンテンツ属性情報をサーバ１４０に送信する。
【０１０６】
コンテンツ受信部１７７は、サーバ１４０から配信される映像コンテンツを受信する。
【０１０７】
コンテンツ位置情報取得部１７８は、映像コンテンツに関連する位置情報としてのコンテンツ位置情報を取得する。
【０１０８】
コンテンツ再生部１７９は、映像コンテンツを再生して、ディスプレイ１７０ｅに表示させる。
【０１０９】
コンテンツ位置情報送信部１８０は、コンテンツ位置情報をナビゲーション部としてのナビゲーション装置１１０に送信する。
【０１１０】
そして、表示制御部１７１は、映像コンテンツに目的地設定ボタンを重畳させてディスプレイ１７０ｅに表示する。映像コンテンツの再生時にユーザが目的地設定ボタンをタップしたことを操作制御部１７２が検出すると、コンテンツ位置情報送信部１８０は、再生中の映像コンテンツに対応するコンテンツ位置情報をナビゲーション装置１１０に送信する。
【０１１１】
（サーバ１４０）
図１５には、サーバ１４０の機能ブロック図を示している。図１５に示すように、サーバ１４０は、中央演算処理器としてのCPU１４０ａ（Central Processing Unit）と、読み書き自由のRAM１４０ｂ（Random Access Memory）、読み出し専用のROM１４０ｃ（Read Only Memory）を備えている。また、サーバ１４０は、通信I/F１４０ｄを備えている。サーバ１４０は、通信I/F１４０ｄを介してWAN１０２と双方向通信を実行する。
【０１１２】
そして、CPU１４０ａがROM１４０ｃに記憶されている制御プログラムを読み出して実行することで、制御プログラムは、CPU１４０ａなどのハードウェアを、コンテンツ記憶部１４１、コンテンツ属性情報受信部１４２、配信コンテンツ決定部１４３、コンテンツ配信部１４４として機能させる。
【０１１３】
コンテンツ属性情報受信部１４２は、スマートフォン１７０からコンテンツ属性情報を受信する。
【０１１４】
配信コンテンツ決定部１４３は、コンテンツ属性情報に基づいて、スマートフォン１７０に配信する映像コンテンツを決定する。
【０１１５】
コンテンツ配信部１４４は、配信コンテンツ決定部１４３によって決定された１つ又は複数の映像コンテンツをスマートフォン１７０に配信する。
【０１１６】
図１６及び図１７に、映像配信システム１０１の動作を示す。情報端末であるスマートフォン１７０が介在する点が、実施形態１と異なる。
【０１１７】
以上に、第３実施形態を説明したが、上記第３実施形態は、以下の特長を有する。
【０１１８】
情報端末としてのスマートフォン１７０は、例えばユーザによって設定された目的地までの経路を案内するナビゲーション部としてのナビゲーション装置１１０と通信可能である。スマートフォン１７０は、外部としてのサーバ１４０から配信される映像コンテンツを受信するコンテンツ受信部１７７と、映像コンテンツに関連するコンテンツ位置情報を取得するコンテンツ位置情報取得部１７８と、映像コンテンツを再生するコンテンツ再生部１７９と、ナビゲーション装置１１０にコンテンツ位置情報を送信するコンテンツ位置情報送信部１８０と、を備える。以上の構成によれば、ナビゲーション装置１１０のユーザエクスペリエンスを向上することができる。
【０１１９】
また、図１６及び図１７に示すように、スマートフォン１７０の制御方法は、サーバ１４０から配信されるコンテンツを受信する映像コンテンツ受信ステップ（S111）と、映像コンテンツに関連するコンテンツ位置情報を取得するコンテンツ位置情報取得ステップ（S131）と、映像コンテンツを再生するコンテンツ再生ステップ（S130）と、ナビゲーション装置１１０にコンテンツ位置情報を送信するコンテンツ位置情報送信ステップ（S142）と、を含む。以上の方法によれば、ナビゲーション装置１１０のユーザエクスペリエンスを向上することができる。
【０１２０】
以上に、第１から第３実施形態を説明した。上記各実施形態は以下のように変更できる。
【０１２１】
上記各実施形態において、サーバからWANを介して映像コンテンツが配信されるとした。しかし、これに代えて、放送事業者から放送網を介して映像コンテンツが配信されるようにしてもよい。また、映像コンテンツとしては、イベント会場のPR動画の他に、例えば、テレビ放送の番組コンテンツ、テレビ放送のCMコンテンツであってもよい。
【０１２２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。非一時的なコンピュータ可読媒体の例は、更に、ＣＤ−ＲＯＭ（Read Only Memory）、ＣＤ−Ｒ、ＣＤ−Ｒ／Ｗ、半導体メモリ（例えば、マスクＲＯＭを含む。非一時的なコンピュータ可読媒体の例は、更に、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１２３】
１  映像配信システム
２  WAN
１０  ナビゲーション装置
１１  目的地情報設定部
１２  経由地情報設定部
１３  現在地情報取得部
１４  経路情報生成部
１５  経路案内部
１６  表示制御部
１７  操作制御部
２０  距離情報算出部
２１  コンテンツ属性情報生成部
２２  コンテンツ属性情報送信部
２３  コンテンツ受信部
２４  コンテンツ位置情報取得部
２５  コンテンツ再生部
２６  ナビ位置情報送信部
３０  コンテンツ記憶部
３１  コンテンツ属性情報受信部
３２  配信コンテンツ決定部
３３  コンテンツ配信部
３４  ナビ位置情報受信部
３５  距離情報算出部
４０  サーバ
【図１】
2020148472.tif 000003
【図２】
2020148472.tif 000004
【図３】
2020148472.tif 000005
【図４】
2020148472.tif 000006
【図５】
2020148472.tif 000007
【図６】
2020148472.tif 000008
【図７】
2020148472.tif 000009
【図８】
2020148472.tif 000010
【図９】
2020148472.tif 000011
【図１０】
2020148472.tif 000012
【図１１】
2020148472.tif 000013
【図１２】
2020148472.tif 000014
【図１３】
2020148472.tif 000015
【図１４】
2020148472.tif 000016
【図１５】
2020148472.tif 000017
【図１６】
2020148472.tif 000018
【図１７】
2020148472.tif 000019